【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
プロセッサ機器により実装され、情報処理機器の無線データトラヒックを制御する方法であって、
Ｗｉ−Ｆｉホットスポット機器の認証識別子を取得することと、
前記プロセッサ機器により、前記認証識別子に基づいて、前記Ｗｉ−Ｆｉホットスポット機器の種類が無線ルーティング機器であるかインテリジェント端末機器であるかを決定することと、
前記決定された機器の種類に従って、前記情報処理機器の前記無線データトラヒックを制御することと、
を含み、前記制御することが、
前記Ｗｉ−Ｆｉホットスポット機器の種類が前記インテリジェント端末機器であると決定された場合、既定値を超えるサイズのファイルを前記情報処理機器がダウンロードすることを禁止することと、
前記Ｗｉ−Ｆｉホットスポット機器の種類が前記無線ルーティング機器であると決定された場合、前記情報処理機器の前記無線データトラヒックを提供することと、
を含む、方法。
【請求項２】
前記認証識別子が、前記Ｗｉ−Ｆｉホットスポット機器の媒体アクセス制御（MAC）アドレスを含み、前記認証識別子に基づいて、前記Ｗｉ−Ｆｉホットスポット機器の種類が前記無線ルーティング機器であるか前記インテリジェント端末機器であるかを決定することが、
組織固有識別子（OUI）配布ライブラリにおいて、前記ＭＡＣアドレスに対応する機器製造業者の情報を探索することと、
前記機器製造業者の前記情報に基づいて、前記Ｗｉ−Ｆｉホットスポット機器の種類が前記無線ルーティング機器であるか前記インテリジェント端末機器であるかを決定することと、
を含む、請求項１に記載の方法。
【請求項３】
前記機器製造業者の前記情報に基づいて、前記Ｗｉ−Ｆｉホットスポット機器の種類が前記無線ルーティング機器であるか前記インテリジェント端末機器であるかを決定することが、
前記機器製造業者の前記情報が複数種類のＷｉ−Ｆｉホットスポット機器を含む場合、前記機器製造業者により提供されたＭＡＣアドレスと前記複数種類の前記Ｗｉ−Ｆｉホットスポット機器との間の関係に基づいて、前記Ｗｉ−Ｆｉホットスポット機器の種類が前記無線ルーティング機器であるか前記インテリジェント端末機器であるかを決定することを含む、請求項２に記載の方法。
【請求項４】
前記ＭＡＣアドレスに対応する前記機器製造業者の前記情報が前記ＯＵＩ配布ライブラリに見つからない場合、前記Ｗｉ−Ｆｉホットスポット機器のサービスセット識別子（SSID）に基づいて、前記Ｗｉ−Ｆｉホットスポット機器の種類が前記無線ルーティング機器であるか前記インテリジェント端末機器であるかを決定することをさらに含む、請求項２に記載の方法。
【請求項５】
無線データトラヒックを制御する装置であって、
メモリデバイスと、
前記メモリデバイスに連通結合されたプロセッサ機器と、
を備え、前記プロセッサ機器が、
Ｗｉ−Ｆｉホットスポット機器の認証識別子を取得し、
前記認証識別子に基づいて、前記Ｗｉ−Ｆｉホットスポット機器の種類が無線ルーティング機器であるかインテリジェント端末機器であるかを決定し、
前記決定された機器の種類に従って、情報処理機器の前記無線データトラヒックを制御する、
ように構成され、前記制御が、
前記Ｗｉ−Ｆｉホットスポット機器の種類が前記インテリジェント端末機器であると決定された場合、既定値を超えるサイズのファイルを前記情報処理機器がダウンロードすることを禁止することと、
前記Ｗｉ−Ｆｉホットスポット機器の種類が前記無線ルーティング機器であると決定された場合、前記情報処理機器の前記無線データトラヒックを提供することと、
を含む、装置。
【請求項６】
前記認証識別子が、前記Ｗｉ−Ｆｉホットスポット機器の媒体アクセス制御（MAC）アドレスを含み、前記プロセッサ機器が、
組織固有識別子（OUI）配布ライブラリにおいて、前記ＭＡＣアドレスに対応する機器製造業者の情報を探索し、
前記機器製造業者の前記情報に基づいて、前記Ｗｉ−Ｆｉホットスポット機器の種類が前記無線ルーティング機器であるか前記インテリジェント端末機器であるかを決定する、
ように構成された、請求項５に記載の装置。
【請求項７】
前記機器製造業者の前記情報が複数種類のＷｉ−Ｆｉホットスポット機器を含む場合、前記プロセッサ機器が、前記機器製造業者により提供されたＭＡＣアドレスと前記複数種類の前記Ｗｉ−Ｆｉホットスポット機器との間の関係に基づいて、前記Ｗｉ−Ｆｉホットスポット機器の種類が前記無線ルーティング機器であるか前記インテリジェント端末機器であるかを決定する、請求項６に記載の装置。
【請求項８】
前記ＭＡＣアドレスに対応する前記機器製造業者の前記情報が前記ＯＵＩ配布ライブラリに見つからない場合、前記プロセッサ機器が、前記Ｗｉ−Ｆｉホットスポット機器のサービスセット識別子（SSID）に基づいて、前記Ｗｉ−Ｆｉホットスポット機器の種類が前記無線ルーティング機器であるか前記インテリジェント端末機器であるかを決定する、請求項６に記載の装置。
【請求項９】
プロセッサ機器により実装され、無線ネットワークアクセスを制御する方法であって、
クライアントアプリケーションが無線ネットワークにアクセスするために使用されるＷｉ−Ｆｉホットスポット機器の認証識別子を取得することと、
前記プロセッサ機器により、前記認証識別子に基づいて、前記Ｗｉ−Ｆｉホットスポット機器の種類が無線ルーティング機器であるかインテリジェント端末機器であるかを決定することと、
前記決定された機器の種類に従って、前記クライアントアプリケーションの情報ダウンロードを制御することと、
を含み、前記制御することが、
前記Ｗｉ−Ｆｉホットスポット機器の種類が前記インテリジェント端末機器であると決定された場合、既定値を超えるサイズのファイルを前記クライアントアプリケーションがダウンロードすることを禁止することと、
前記Ｗｉ−Ｆｉホットスポット機器の種類が前記無線ルーティング機器であると決定された場合、前記クライアントアプリケーションが前記ファイルをダウンロードすることを許可することと、
を含む、方法。
【請求項１０】
前記認証識別子が、前記Ｗｉ−Ｆｉホットスポット機器の媒体アクセス制御（MAC）アドレスを含み、前記認証識別子に基づいて前記Ｗｉ−Ｆｉホットスポット機器の種類が前記無線ルーティング機器であるか前記インテリジェント端末機器であるかを決定することが、
組織固有識別子（OUI）配布ライブラリにおいて、前記ＭＡＣアドレスに対応する機器製造業者の情報を探索することと、
前記機器製造業者の前記情報に基づいて、前記Ｗｉ−Ｆｉホットスポット機器の種類が前記無線ルーティング機器であるか前記インテリジェント端末機器であるかを決定することと、
を含む、請求項９に記載の方法。
【請求項１１】
前記機器製造業者の前記情報に基づいて、前記Ｗｉ−Ｆｉホットスポット機器の種類が前記無線ルーティング機器であるか前記インテリジェント端末機器であるかを決定することが、
前記機器製造業者の前記情報が複数種類のＷｉ−Ｆｉホットスポット機器を含む場合、前記機器製造業者により提供されたＭＡＣアドレスと前記複数種類の前記Ｗｉ−Ｆｉホットスポット機器との間の関係に基づいて、前記Ｗｉ−Ｆｉホットスポット機器の種類が前記無線ルーティング機器であるか前記インテリジェント端末機器であるかを決定することを含む、請求項１０に記載の方法。
【請求項１２】
前記ＭＡＣアドレスに対応する前記機器製造業者の前記情報が前記ＯＵＩ配布ライブラリに見つからない場合、前記Ｗｉ−Ｆｉホットスポット機器のサービスセット識別子（SSID）に基づいて、前記Ｗｉ−Ｆｉホットスポット機器の種類が前記無線ルーティング機器であるか前記インテリジェント端末機器であるかを決定することをさらに含む、請求項１０に記載の方法。
【請求項１３】
無線トラヒック制御サービスをクライアントアプリケーションに提供するコンピュータサーバであって、
メモリデバイスと、
前記メモリデバイスに連通結合されたプロセッサ機器と、
を備え、前記プロセッサ機器が、
前記クライアントアプリケーションが無線ネットワークにアクセスするために使用されるＷｉ−Ｆｉホットスポット機器の認証識別子を取得し、
前記認証識別子に基づいて、前記Ｗｉ−Ｆｉホットスポット機器の種類が無線ルーティング機器であるかインテリジェント端末機器であるかを決定し、
前記決定された機器の種類に従って、前記クライアントアプリケーションの情報ダウンロードを制御する、
ように構成され、前記制御が、
前記Ｗｉ−Ｆｉホットスポット機器の種類が前記インテリジェント端末機器であると決定された場合、既定値を超えるサイズのファイルを前記クライアントアプリケーションがダウンロードすることを禁止することと、
前記Ｗｉ−Ｆｉホットスポット機器の種類が前記無線ルーティング機器であると決定された場合、前記クライアントアプリケーションが前記ファイルをダウンロードすることを許可することと、
を含む、コンピュータサーバ。
【請求項１４】
前記認証識別子が、前記Ｗｉ−Ｆｉホットスポット機器の媒体アクセス制御（MAC）アドレスを含み、前記プロセッサ機器が、
組織固有識別子（OUI）配布ライブラリにおいて、前記ＭＡＣアドレスに対応する機器製造業者の情報を探索し、
前記機器製造業者の前記情報に基づいて、前記Ｗｉ−Ｆｉホットスポット機器の種類が前記無線ルーティング機器であるか前記インテリジェント端末機器であるかを決定する、
ように構成された、請求項１３に記載のコンピュータサーバ。
【請求項１５】
前記機器製造業者の前記情報が複数種類のＷｉ−Ｆｉホットスポット機器を含む場合、前記プロセッサ機器が、前記機器製造業者により提供されたＭＡＣアドレスと前記複数種類の前記Ｗｉ−Ｆｉホットスポット機器との間の関係に基づいて、前記Ｗｉ−Ｆｉホットスポット機器の種類が前記無線ルーティング機器であるか前記インテリジェント端末機器であるかを決定する、請求項１４に記載のコンピュータサーバ。
【請求項１６】
前記ＭＡＣアドレスに対応する前記機器製造業者の前記情報が前記ＯＵＩ配布ライブラリに見つからない場合、前記プロセッサ機器が、前記Ｗｉ−Ｆｉホットスポット機器のサービスセット識別子（SSID）に基づいて、前記Ｗｉ−Ｆｉホットスポット機器の種類が前記無線ルーティング機器であるか前記インテリジェント端末機器であるかを決定する、請求項１４に記載のコンピュータサーバ。
【請求項１７】
機器の少なくとも１つのプロセッサによって実行可能な１組の命令を格納する非一時的コンピュータ可読記憶媒体であって、前記１組の命令が情報処理機器の無線データトラヒックを制御する方法を前記機器に実施させ、前記方法が、
Ｗｉ−Ｆｉホットスポット機器の認証識別子を取得することと、
前記プロセッサ機器により、前記認証識別子に基づいて、前記Ｗｉ−Ｆｉホットスポット機器の種類が無線ルーティング機器であるかインテリジェント端末機器であるかを決定することと、
前記決定された機器の種類に従って、前記情報処理機器の前記無線データトラヒックを制御することと、
を含み、前記制御することが、
前記Ｗｉ−Ｆｉホットスポット機器の種類が前記インテリジェント端末機器であると決定された場合、既定値を超えるサイズのファイルを前記情報処理機器がダウンロードすることを禁止することと、
前記Ｗｉ−Ｆｉホットスポット機器の種類が前記無線ルーティング機器であると決定された場合、前記情報処理機器の前記無線データトラヒックを提供することと、
を含む、非一時的コンピュータ可読記憶媒体。
【請求項１８】
前記認証識別子が、前記Ｗｉ−Ｆｉホットスポット機器の媒体アクセス制御（MAC）アドレスを含み、前記認証識別子に基づいて前記Ｗｉ−Ｆｉホットスポット機器の種類が前記無線ルーティング機器であるか前記インテリジェント端末機器であるかを決定することが、
組織固有識別子（OUI）配布ライブラリにおいて、前記ＭＡＣアドレスに対応する機器製造業者の情報を探索することと、
前記機器製造業者の前記情報に基づいて、前記Ｗｉ−Ｆｉホットスポット機器の種類が前記無線ルーティング機器であるか前記インテリジェント端末機器であるかを決定することと、
を含む、請求項１７に記載の非一時的コンピュータ可読記憶媒体。
【請求項１９】
前記機器製造業者の前記情報に基づいて前記Ｗｉ−Ｆｉホットスポット機器の種類が前記無線ルーティング機器であるか前記インテリジェント端末機器であるかを決定することが、
前記機器製造業者の前記情報が複数種類のＷｉ−Ｆｉホットスポット機器を含む場合、前記機器製造業者により提供されたＭＡＣアドレスと前記複数種類の前記Ｗｉ−Ｆｉホットスポット機器との間の関係に基づいて、前記Ｗｉ−Ｆｉホットスポット機器の種類が前記無線ルーティング機器であるか前記インテリジェント端末機器であるかを決定することを含む、請求項１８に記載の非一時的コンピュータ可読記憶媒体。
【請求項２０】
前記機器の前記少なくとも１つのプロセッサによって実行可能な前記１組の命令が、前記機器に、
前記ＭＡＣアドレスに対応する前記機器製造業者の前記情報が前記ＯＵＩ配布ライブラリに見つからない場合、前記Ｗｉ−Ｆｉホットスポット機器のサービスセット識別子（SSID）に基づいて、前記Ｗｉ−Ｆｉホットスポット機器の種類が前記無線ルーティング機器であるか前記インテリジェント端末機器であるかを決定することをさらに実施させる、請求項１８に記載の非一時的コンピュータ可読記憶媒体。
【請求項２１】
機器の少なくとも１つのプロセッサによって実行可能な１組の命令を格納する非一時的コンピュータ可読記憶媒体であって、前記１組の命令が無線ネットワークアクセスを制御する方法を前記機器に実施させ、前記方法が、
クライアントアプリケーションが無線ネットワークにアクセスするために使用されるＷｉ−Ｆｉホットスポット機器の認証識別子を取得することと、
前記プロセッサ機器により、前記認証識別子に基づいて、前記Ｗｉ−Ｆｉホットスポット機器の種類が無線ルーティング機器であるかインテリジェント端末機器であるかを決定することと、
前記決定された機器の種類に従って、前記クライアントアプリケーションの情報ダウンロードを制御することと、
を含み、前記制御することが、
前記Ｗｉ−Ｆｉホットスポット機器の種類が前記インテリジェント端末機器であると決定された場合、既定値を超えるサイズのファイルを前記クライアントアプリケーションがダウンロードすることを禁止することと、
前記Ｗｉ−Ｆｉホットスポット機器の種類が前記無線ルーティング機器であると決定された場合、前記クライアントアプリケーションが前記ファイルをダウンロードすることを許可することと、
を含む、非一時的コンピュータ可読記憶媒体。
【請求項２２】
前記認証識別子が、前記Ｗｉ−Ｆｉホットスポット機器の媒体アクセス制御（MAC）アドレスを含み、前記認証識別子に基づいて前記Ｗｉ−Ｆｉホットスポット機器の種類が前記無線ルーティング機器であるか前記インテリジェント端末機器であるかを決定することが、
組織固有識別子（OUI）配布ライブラリにおいて、前記ＭＡＣアドレスに対応する機器製造業者の情報を探索することと、
前記機器製造業者の前記情報に基づいて、前記Ｗｉ−Ｆｉホットスポット機器の種類が前記無線ルーティング機器であるか前記インテリジェント端末機器であるかを決定することと、
を含む、請求項２１に記載の非一時的コンピュータ可読記憶媒体。
【請求項２３】
前記機器製造業者の前記情報に基づいて前記Ｗｉ−Ｆｉホットスポット機器の種類が前記無線ルーティング機器であるか前記インテリジェント端末機器であるかを決定することが、
前記機器製造業者の前記情報が複数種類のＷｉ−Ｆｉホットスポット機器を含む場合、前記機器製造業者により提供されたＭＡＣアドレスと前記複数種類の前記Ｗｉ−Ｆｉホットスポット機器との間の関係に基づいて、前記Ｗｉ−Ｆｉホットスポット機器の種類が前記無線ルーティング機器であるか前記インテリジェント端末機器であるかを決定することを含む、請求項２２に記載の非一時的コンピュータ可読記憶媒体。
【請求項２４】
前記機器の前記少なくとも１つのプロセッサによって実行可能な前記１組の命令が、前記機器に、
前記ＭＡＣアドレスに対応する前記機器製造業者の前記情報が前記ＯＵＩ配布ライブラリに見つからない場合、前記Ｗｉ−Ｆｉホットスポット機器のサービスセット識別子（SSID）に基づいて、前記Ｗｉ−Ｆｉホットスポット機器の種類が前記無線ルーティング機器であるか前記インテリジェント端末機器であるかを決定することをさらに実施させる、請求項２２に記載の非一時的コンピュータ可読記憶媒体。